(57)【特許請求の範囲】
【請求項１】
光源を収納する灯具と、該灯具を地面から所定高さで支持する支柱とを備えた屋外用照明装置であって、
前記支柱、又は前記灯具は、前記光源よりも低い位置に、地面に向けて突出形成された突出部を備え、
前記突出部は、発熱部材を有することを特徴とする屋外用照明装置。
【請求項２】
前記灯具は、前記光源の光出射方向をカバーするための透光性のカバー部と、該カバー部を保持する本体部とを備え、
前記突出部は、前記灯具の本体部の最下部に設けられていることを特徴する請求項１に記載の屋外用照明装置。
【請求項３】
前記灯具は、前記光源の光出射方向をカバーするための透光性のカバー部と、該カバー部を保持する本体部とを備え、
前記カバー部は、前記灯具の地面に対向する位置に設けられ、且つ、第２の発熱部材を備えることを特徴とする請求項１に記載の屋外用照明装置。
【発明の詳細な説明】
【技術分野】
【０００１】
本発明は、街路灯等の屋外用照明装置に関する。
【背景技術】
【０００２】
従来から、屋外に設置される街路灯等の屋外用照明装置おいて、氷柱等の発生を防止することができるようにした装置が知られている。このような照明装置は、光源を収納する灯具と、灯具を地面から所定高さで支持する支柱とを備え、灯具に取り付けられた発熱部材で灯具に付着した水滴の凍結を防止できるようにしている（例えば、特許文献１及び特許文献２参照）。
【特許文献１】特開２００２−１５０８０７号公報
【特許文献２】特開平４−１０８０９６号公報
【発明の開示】
【発明が解決しようとする課題】
【０００３】
しかしながら、上記特許文献１又は特許文献２に記載される照明装置においては、灯具の氷柱防止対策については考慮されているものの、支柱についてはあまり考慮されていなかった。また、灯具や支柱に付着した水滴を積極的に集める箇所が、灯具や支柱に形成されておらず、灯具や支柱の広範囲に水滴が付着し易かったため、発熱部材で熱する範囲が広くなり、氷柱の発生を効率良く防止することができなかった。
【０００４】
本発明は、かかる点に鑑みてなされたものであり、灯具又は支柱における氷柱の発生を効率良く防止することができる屋外用照明装置を提供することを目的とする。
【課題を解決するための手段】
【０００５】
上記目的を達成するために請求項１の発明は、光源を収納する灯具と、該灯具を地面から所定高さで支持する支柱とを備えた屋外用照明装置であって、前記支柱、又は前記灯具は、前記光源よりも低い位置に、地面に向けて突出形成された突出部を備え、前記突出部は、発熱部材を有することを特徴とする。
【０００６】
請求項２の発明は、請求項１に記載の屋外用照明装置において、前記灯具は、前記光源の光出射方向をカバーするための透光性のカバー部と、該カバー部を保持する本体部とを備え、前記突出部は、前記灯具の本体部の最下部に設けられていることを特徴する。
【０００７】
請求項３の発明は、請求項１に記載の屋外用照明装置において、前記灯具は、前記光源の光出射方向をカバーするための透光性のカバー部と、該カバー部を保持する本体部とを備え、前記カバー部は、前記灯具の地面に対向する位置に設けられ、且つ、第２の発熱部材を備えることを特徴とする。
【発明の効果】
【０００８】
以上のように本発明によれば、支柱又は灯具の本体部は、光源よりも低い位置に、地面に向けて突出形成された突出部を備え、突出部は発熱部材を有するので、支柱又は灯具に付着した水滴を突出部に集めることができ、突出部に集まった水滴を発熱部材で熱して、その凍結を防止することができる。このため、灯具及び支柱における氷柱の発生を効率良く防止することができる。
【発明を実施するための最良の形態】
【０００９】
以下、本発明の第１の実施形態に係る屋外用照明装置について図１及び図２を参照して説明する。屋外用照明装置１は、光源２１を収納する灯具２と、この灯具２を地面から所定高さで支持する支柱３とを備えており、例えば、街路灯等に用いられる。灯具２は、光源２１の光出射方向をカバーするための略球状のガラスカバー部（透光性のカバー部）２２と、ガラスカバー部２２を保持する本体部２３とを備えている。
【００１０】
支柱３は、地面に対して略垂直に立設されたポール３１と、ポール３１の上端部付近から、ポール３１に対して略垂直（地面に対して略平行に）に延設されたアーム３２とを備えている。本実施形態においては、このアーム３２が、支柱３の地面と対向する部分に相当し、このアーム３２の先端から、突出部４が地面に向けて突出形成されている。アーム３２の先端はＴ字状に形成されており、突出部４の上方には灯具２の本体部２３が固定される。従って、灯具２又はアーム３２に付着した雪や水滴が、矢印Ａ１，Ａ２で示されるように、灯具２及びアーム３２の表面をつたって突出部４に集まり易くなる。なお、アーム３２に付着した水滴等をより効果的に突出部４に集めるために、アーム３２は突出部４側が低くなるように形成することが好ましい。
【００１１】
図２に示されるように、突出部４は、その内部にヒータ（発熱部材）４１を備えており、ヒータ４１は熱伝導部材４２に固定され、熱伝導部材４２は突出部４の下端にネジ５１等で取り付けられている。ヒータ４１には配線４３を介して電力が供給され、ヒータ４１が発熱することにより、突出部４に集まった水滴の温度が常に０℃以上に保持される。なお、常にヒータ４１に電力を供給する必要はなく、季節や時間帯に応じてヒータ４１に電力を供給する時間を変化させるようにしても良い。また、突出部４に温度センサを設け、所定温度以下になったらヒータ４１に電力を供給するようにしても良い。ヒータ４１への電力供給を制御するスイッチ等は、装置の管理者等が操作し易いように、例えば、ポール３１の下端部付近に設けられる。
【００１２】
本実施形態の屋外用照明装置１によれば、支柱３は、地面と対向する位置に、地面に向けて突出形成された突出部４を備え、突出部４はヒータ４１を有するので、矢印Ａ１，Ａ２で示されるように支柱３又は灯具２に付着した水滴を突出部４に集めることができ、突出部４に集まった水滴をヒータ４１で熱して、その凍結を防止することができる。このため、灯具２又は支柱３における氷柱の発生を効率良く防止することができる。
【００１３】
次に、本発明の第２の実施形態に係る屋外用照明装置について図３及び図４を参照して説明する。図３に示されるように、本実施形態の屋外用照明装置１は、突出部４が、灯具２の本体部２３の最下部に設けられている点で第１の実施形態と異なる。
【００１４】
屋外用照明装置１は、第１の実施形態と同様、灯具２と支柱３とを備えており、灯具２は、ガラスカバー部（透光性のカバー部）２２と、ガラスカバー部２２を保持する本体部２３とを有している。ガラスカバー部２２は、灯具２の地面に対向する位置に設けられている。
【００１５】
支柱３は、地面に対して略垂直に立設されたポール（図示せず）と、ポールの上端部付近から、ポールに対して略垂直（地面に対して略平行に）に延設されたアーム３２とを備えている。
【００１６】
灯具２の本体部２３は、アーム３２側の端部（図３において本体部２３の左側の端部）が他方の端部（図３において本体部２３の右側の端部）に比べて低くなるように配置されており、突出部４は、本体部２３のアーム３２側の端部の下面（灯具２の本体部２３の最下部）に、地面に向けて突出形成されている。従って、灯具２に付着した雪や水滴が、矢印Ｂ１，Ｂ２で示されるように、灯具２の表面をつたって突出部４に集まり易くなる。
【００１７】
図４に示されるように、突出部４は、ヒータ（発熱部材）４１と、ヒータ４１を収納する凹部が形成された熱伝導部材４２とを備えており、熱伝導部材４２は本体部２３に形成された孔にロックナット５２等で固定されている。ヒータ４１には配線４３を介して電力が供給され、ヒータ４１が発熱することにより、突出部４に集まった水滴の温度が常に０℃以上に保持される。
【００１８】
本実施形態の屋外用照明装置１によっても、灯具２の本体部２３は、地面と対向する位置に、地面に向けて突出形成された突出部４を備え、突出部４はヒータ４１を有するので、矢印Ｂ１，Ｂ２で示されるように灯具２に付着した水滴を突出部４に集めることができ、突出部４に集まった水滴をヒータ４１で熱して、その凍結を防止することができる。このため、灯具２における氷柱の発生を効率良く防止することができる。
【００１９】
次に、本発明の第３の実施形態に係る屋外用照明装置について図５乃至図７を参照して説明する。図５に示されるように、本実施形態の屋外用照明装置１は、灯具２と、アーチ状の支柱３とを備えており、アーチ状の支柱３の地面と対向する位置（すなわち、支柱３の地面に対して略平行な部分）に、地面に向けて突出形成された突出部４を備えている。灯具２は、ガラスカバー部（透光性のカバー部）２２と、ガラスカバー部２２を保持する本体部２３とを有している。なお、図５においては、支柱３の地面に対して略垂直に立設された部分を省略して示している。
【００２０】
図６又は図７に示されるように、突出部４は、支柱３に筒状の部材を溶接等により取り付けることにより形成される。突出部４の内部にはヒータ４１が取り付けられる。ヒータ４１の取付方法は特に限定されるものではなく、例えば、図６に示されるように、コード状のヒータ４１の先端部分を収納する凹部が形成された金属製の熱伝導部材４２にコーキング材５３等を用いてヒータ４１を固定し、熱伝導部材４２に切られたネジを突出部４にねじ込むことによりヒータ４１を取り付けるようにしても良い。また、図７に示されるように、熱伝導部材４２にヒータ４１を直接固定し、熱伝導部材４２に切られたネジを突出部４にねじ込むことによりヒータ４１を取り付けるようにしても良い。ヒータ４１に電力が供給され、ヒータ４１が発熱することにより、突出部４に集まった水滴の温度が常に０℃以上に保持される。
【００２１】
本実施形態の屋外用照明装置１によっても、支柱３は、地面と対向する位置に、地面に向けて突出形成された突出部４を備え、突出部４はヒータ４１を有するので、矢印Ｃで示されるように灯具２に付着した水滴を突出部４に集めることができ、突出部４に集まった水滴をヒータ４１で熱して、その凍結を防止することができる。このため、支柱３における氷柱の発生を効率良く防止することができる。
【００２２】
次に、本発明の第４の実施形態に係る屋外用照明装置について図８乃至図９を参照して説明する。本実施形態の屋外用照明装置１は、支柱３に形成された突出部４のヒータ４１（図５参照）に加えて、灯具２の地面に対向する位置に設けられたガラスカバー部２２にヒータ（第２の発熱部材）４４を備える点で上記第３の実施形態と異なる。他の構成は第３の実施形態と同様である。
【００２３】
本実施形態の屋外用照明装置１によれば、第３の実施形態と同様の効果が得られる他、ヒータ４４でガラスカバー部２２を熱することによりガラスカバー部２２における氷柱の発生を防止することができる。
【００２４】
なお、本発明は上記各種実施形態の構成に限られることなく種々の変形が可能である。例えば、支柱３及び灯具２の本体部２３の両方に突出部４を形成するようにしてもよい。また、支柱３の形状は上記実施形態の形状に限られず、氷柱が生じ易くなる（水滴が溜まり易くなる）、地面に対して略平行な部分（地面と対向する部分）が支柱３にあれば良い。
【図面の簡単な説明】
【００２５】
【図１】本発明の第１の実施形態に係る屋外用照明装置の側面図。
【図２】同照明装置の支柱に設けられた突出部の断面図。
【図３】本発明の第２の実施形態に係る屋外用照明装置の側面図。
【図４】同照明装置の灯具の本体部に設けられた突出部の断面図。
【図５】本発明の第３の実施形態に係る屋外用照明装置の側面図。
【図６】同照明装置の支柱に設けられた突出部の断面図。
【図７】同照明装置の支柱に設けられた突出部の断面図。
【図８】本発明の第４の実施形態に係る屋外用照明装置の部分断面図。
【図９】同照明装置の灯具をガラスカバー部側から見た図。
【符号の説明】
【００２６】
１    屋外用照明装置
２    灯具
３    支柱
４    突出部
２１  光源
２２  ガラスカバー部（透光性のカバー部）
２３  本体部
４１  ヒータ（発熱部材）
４４  ヒータ（第２の発熱部材）
【図１】
0004552792.tif 000002
【図２】
0004552792.tif 000003
【図３】
0004552792.tif 000004
【図４】
0004552792.tif 000005
【図５】
0004552792.tif 000006
【図６】
0004552792.tif 000007
【図７】
0004552792.tif 000008
【図８】
0004552792.tif 000009
【図９】
0004552792.tif 000010